(57)【要約】【課題】移動局に無線通信を提供するためのシステムおよび方法を提供する。【解決手段】複数の輸送手段にそれぞれ設置された複数の移動局に無線通信を提供するよう複数の基地局を制御するための方法であり、この方法は、複数の基地局の中の第１の基地局が複数の移動局の中の第１の移動局にサービスを提供するために、複数の基地局のうち、第１の基地局と複数の移動局の中の第２の移動局にサービスを提供する第２の基地局との間の基地局の数が予め定められた数よりも小さいかどうかを判定することと、その判定結果に基づいて、複数の移動局の中の第１の移動局と通信するよう複数の基地局の中の第１の基地局を制御することを含む。【選択図】図２
2010246080.tif 000002
【特許請求の範囲】
【請求項１】
複数の輸送手段にそれぞれ少なくとも１つ設置された移動局に無線通信を提供するよう複数の基地局を制御するための方法であって、
前記複数の基地局の中の第１の基地局が前記複数の移動局の中の第１の移動局にサービスを提供するために、前記複数の基地局のうち、前記第１の基地局と前記複数の移動局の中の第２の移動局にサービスを提供する第２の基地局との間の基地局の数が予め定められた数よりも小さいかどうかを判定することと、
前記判定結果に基づいて、前記複数の移動局の中の前記第１の移動局と通信するよう前記複数の基地局の中の前記第１の基地局を制御することと
を含む方法。
【請求項２】
前記基地局の数が前記予め定められた数よりも少ないと判定された時、前記方法が、
空間分割多元接続（ＳＤＭＡ）モードに基づいて、前記複数の移動局の中の前記第１の移動局および前記第２の移動局と通信するよう、前記複数の基地局の中の前記第１の基地局および前記第２の基地局のそれぞれを制御することをさらに含む請求項１記載の方法。
【請求項３】
前記ＳＤＭＡモードに基づいて、前記制御することが、
ダウンリンク周波数で前記複数の移動局の中の前記第１の移動局にデータを伝送するよう前記複数の基地局の中の前記第１の基地局を制御することと、
前記ダウンリンク周波数と同じダウンリンク周波数で前記複数の移動局の中の前記第２の移動局にデータを伝送するよう前記複数の基地局の中の前記第２の基地局を制御することと
をさらに含む請求項２記載の方法。
【請求項４】
前記ＳＤＭＡモードに基づいて、前記制御することが、
アップリンク周波数で前記複数の移動局の中の前記第１の移動局からデータを受信するよう前記複数の基地局の中の前記第１の基地局を制御することと、
前記アップリンク周波数と同じアップリンク周波数で前記複数の移動局の中の前記第２の移動局からデータを受信するよう前記複数の基地局の中の前記第２の基地局を制御することと
をさらに含む請求項２記載の方法。
【請求項５】
前記ＳＤＭＡモードに基づいて、前記制御することが、
前記複数の移動局の中の前記第１の移動局から信号を受信するよう、前記複数の基地局の中の前記第１の基地局と隣り合う前記複数の基地局の中の第３の基地局を制御することと、
前記受信した信号の信号品質を判定すること
をさらに含む請求項２に記載の方法。
【請求項６】
前記信号品質が予め定められた条件よりも良いと判定された時、前記方法が、
前記複数の移動局の中の前記第１の移動局にサービスを提供するのを停止するよう前記複数の基地局の中の前記第１の基地局を制御することと、
前記複数の移動局の中の前記第１の移動局にサービスを提供するよう前記複数の基地局の中の前記第３の基地局を制御することと
をさらに含む請求項５記載の方法。
【請求項７】
前記基地局の数が前記予め定められた数よりも少ないと判定された時、前記制御することが、
ミーティングモードに基づいて、前記複数の移動局の中の前記第１の移動局および前記第２の移動局と通信するよう、前記複数の基地局の中の前記第１の基地局および前記第２の基地局のそれぞれを制御することをさらに含む請求項１に記載の方法。
【請求項８】
前記ミーティングモードに基づいて、前記制御することが、
ダウンリンク周波数で前記複数の移動局の中の前記第１の移動局にデータを伝送するよう前記複数の基地局の中の前記第１の基地局を制御することと、
前記ダウンリンク周波数と同じダウンリンク周波数で前記複数の移動局の中の前記第２の移動局にデータを伝送するよう前記複数の基地局の中の前記第２の基地局を制御することと
をさらに含む請求項７記載の方法。
【請求項９】
前記ミーティングモードに基づいて、前記制御することが、
第１のダウンリンク周波数で前記複数の移動局の中の前記第１の移動局にデータを伝送するよう前記複数の基地局の中の前記第１の基地局を制御することと、
前記第１のダウンリンク周波数と異なる第２のダウンリンク周波数で前記複数の移動局の中の前記第２の移動局にデータを伝送するよう前記複数の基地局の中の前記第２の基地局を制御することと
をさらに含む請求項７記載の方法。
【請求項１０】
前記ミーティングモードに基づいて、前記制御することが、
時間分割多重アクセス（ＴＤＭＡ）方式に基づいて、前記複数の移動局の中の前記第１の移動局からデータを受信するよう前記複数の基地局の中の前記第１の基地局を制御することをさらに含む請求項７記載の方法。
【請求項１１】
前記ミーティングモードに基づいて、前記制御することが、
周波数分割多重アクセス（ＦＤＭＡ）方式に基づいて、前記複数の移動局の中の前記第１の移動局からデータを受信するよう前記複数の基地局の中の前記第１の基地局を制御することをさらに含む請求項７記載の方法。
【請求項１２】
前記複数の輸送手段にそれぞれ少なくとも１つ設置された前記移動局に無線通信を提供するよう前記複数の基地局を制御することをさらに含み、
前記複数の輸送手段は、鉄道に沿って移動するように設計された列車である請求項１記載の方法。
【請求項１３】
複数の輸送手段にそれぞれ少なくとも１つ設置された移動局に無線通信を提供するよう複数の基地局を制御するための基地局制御装置であって、
前記複数の基地局の中の第１の基地局が前記複数の移動局の中の第１の移動局にサービスを提供するために、前記複数の基地局のうち、前記第１の基地局と前記複数の移動局の中の第２の移動局にサービスを提供する第２の基地局との間の基地局の数が予め定められた数よりも小さいかどうかを判定し、
前記判定結果に基づいて、前記複数の移動局の中の前記第１の移動局と通信するよう前記複数の基地局の中の前記第１の基地局を制御する
ように設計された装置。
【請求項１４】
前記基地局の数が前記予め定められた数よりも少なくないと判定された時、前記装置が、
ＳＤＭＡモードに基づいて、前記複数の移動局の中の前記第１の移動局および前記第２の移動局と通信するよう、前記複数の基地局の中の前記第１の基地局および前記第２の基地局のそれぞれを制御するようにさらに設計された請求項１３記載の基地局制御装置。
【請求項１５】
ダウンリンク周波数で前記複数の移動局の中の前記第１の移動局にデータを伝送するよう前記複数の基地局の中の前記第１の基地局を制御し、
前記ダウンリンク周波数と同じダウンリンク周波数で前記複数の移動局の中の前記第２の移動局にデータを伝送するよう前記複数の基地局の中の前記第２の基地局を制御するようにさらに設計された請求項１４記載の基地局制御装置。
【請求項１６】
アップリンク周波数で前記複数の移動局の中の前記第１の移動局からデータを受信するよう前記複数の基地局の中の前記第１の基地局を制御し、
前記アップリンク周波数と同じアップリンク周波数で前記複数の移動局の中の前記第２の移動局からデータを受信するよう前記複数の基地局の中の前記第２の基地局を制御するようにさらに設計された請求項１４記載の基地局制御装置。
【請求項１７】
前記複数の移動局の中の前記第１の移動局から信号を受信するよう、前記複数の移動局の中の前記第１の移動局と隣り合う前記複数の基地局の中の第３の基地局を制御し、
前記受信した信号の信号品質を判定する
ようにさらに設計された請求項１４に記載の基地局制御装置。
【請求項１８】
前記信号品質が予め定められた条件よりも良いと判定された時、前記装置が、
前記複数の移動局の中の前記第１の移動局にサービスを提供するのを停止するよう前記複数の基地局の中の前記第１の基地局を制御し、
前記複数の移動局の中の前記第１の移動局にサービスを提供するよう前記複数の基地局の中の前記第３の基地局を制御する
ようにさらに設計された請求項１７記載の基地局制御装置。
【請求項１９】
前記基地局の数が前記予め定められた数よりも少なくないと判定された時、前記装置が、
ミーティングモードに基づいて、前記複数の移動局の中の前記第１の移動局および前記第２の移動局と通信するよう、前記複数の基地局の中の前記第１の基地局および前記第２の基地局のそれぞれを制御するようにさらに設計された請求項１３に記載の基地局制御装置。
【請求項２０】
ダウンリンク周波数で前記複数の移動局の中の前記第１の移動局にデータを伝送するよう前記複数の基地局の中の前記第１の基地局を制御し、
前記ダウンリンク周波数と同じダウンリンク周波数で前記複数の移動局の中の前記第２の移動局にデータを伝送するよう前記複数の基地局の中の前記第２の基地局を制御する
ようにさらに設計された請求項１９記載の基地局制御装置。
【請求項２１】
第１のダウンリンク周波数で前記複数の移動局の中の前記第１の移動局にデータを伝送するよう前記複数の基地局の中の前記第１の基地局を制御し、
前記第１のダウンリンク周波数と異なる第２のダウンリンク周波数で前記複数の移動局の中の前記第２の移動局にデータを伝送するよう前記複数の基地局の中の前記第２の基地局を制御する
ようにさらに設計された請求項１９記載の基地局制御装置。
【請求項２２】
ＴＤＭＡ方式に基づいて、前記複数の移動局の中の前記第１の移動局からデータを受信するよう前記複数の基地局の中の前記第１の基地局を制御するようにさらに設計された請求項１９記載の基地局制御装置。
【請求項２３】
ＦＤＭＡ方式に基づいて、前記複数の移動局の中の前記第１の移動局からデータを受信するよう前記複数の基地局の中の前記第１の基地局を制御するようにさらに設計された請求項１９記載の基地局制御装置。
【請求項２４】
予め定められたルートに沿って移動するように設計された複数の輸送手段に無線通信を提供するための通信システムであって、
前記ルートに沿って設置された複数の基地局と、
前記複数の輸送手段にそれぞれ少なくとも１つ設置された移動局と、
基地局制御装置と
を含み、前記基地局制御装置が、
前記複数の基地局の中の第１の基地局が前記複数の移動局の中の第１の移動局にサービスを提供するために、前記複数の基地局のうち、前記第１の基地局と前記複数の移動局の中の第２の移動局にサービスを提供する第２の基地局との間の基地局の数が予め定められた数よりも小さいかどうかを判定し、
前記判定結果に基づいて、前記複数の移動局の中の前記第１の移動局と通信するよう前記複数の基地局の中の前記第１の基地局を制御する
ように設計されたシステム。
【請求項２５】
前記基地局の数が前記予め定められた数よりも少なくないと判定された時、前記装置が、
ＳＤＭＡモードに基づいて、前記複数の移動局の中の前記第１の移動局および前記第２の移動局と通信するよう、前記複数の基地局の中の前記第１の基地局および前記第２の基地局のそれぞれを制御するようにさらに設計された請求項２４記載のシステム。
【請求項２６】
前記基地局制御装置が、
ダウンリンク周波数で前記複数の移動局の中の前記第１の移動局にデータを伝送するよう前記複数の基地局の中の前記第１の基地局を制御し、
前記ダウンリンク周波数と同じダウンリンク周波数で前記複数の移動局の中の前記第２の移動局にデータを伝送するよう前記複数の基地局の中の前記第２の基地局を制御する
ようにさらに設計された請求項２５記載のシステム。
【請求項２７】
前記基地局制御装置が、
アップリンク周波数で前記複数の移動局の中の前記第１の移動局からデータを受信するよう前記複数の基地局の中の前記第１の基地局を制御し、
前記アップリンク周波数と同じアップリンク周波数で前記複数の移動局の中の前記第２の移動局からデータを受信するよう前記複数の基地局の中の前記第２の基地局を制御する
ようにさらに設計された請求項２５記載のシステム。
【請求項２８】
前記基地局の数が前記予め定められた数よりも少ないと判定された時、前記基地局制御装置が、
ミーティングモードに基づいて、前記複数の移動局の中の前記第１の移動局および前記第２の移動局と通信するよう、前記複数の基地局の中の前記第１の基地局および前記第２の基地局のそれぞれを制御するようにさらに設計された請求項２４に記載のシステム。
【請求項２９】
前記基地局制御装置が、
ダウンリンク周波数で前記複数の移動局の中の前記第１の移動局にデータを伝送するよう前記複数の基地局の中の前記第１の基地局を制御し、
前記ダウンリンク周波数と同じダウンリンク周波数で前記複数の移動局の中の前記第２の移動局にデータを伝送するよう前記複数の基地局の中の前記第２の基地局を制御する
ようにさらに設計された請求項２８記載のシステム。
【請求項３０】
前記基地局制御装置が、
第１のダウンリンク周波数で前記複数の移動局の中の前記第１の移動局にデータを伝送するよう前記複数の基地局の中の前記第１の基地局を制御し、
前記第１のダウンリンク周波数と異なる第２のダウンリンク周波数で前記複数の移動局の中の前記第２の移動局にデータを伝送するよう前記複数の基地局の中の前記第２の基地局を制御する
ようにさらに設計された請求項２８記載のシステム。
【請求項３１】
前記基地局制御装置が、
ＴＤＭＡ方式に基づいて、前記複数の移動局の中の前記第１の移動局からデータを受信するよう前記複数の基地局の中の前記第１の基地局を制御するようにさらに設計された請求項２８記載のシステム。
【請求項３２】
前記基地局制御装置が、
ＦＤＭＡ方式に基づいて、前記複数の移動局の中の前記第１の移動局からデータを受信するよう前記複数の基地局の中の前記第１の基地局を制御するようにさらに設計された請求項２８記載のシステム。
【発明の詳細な説明】
【技術分野】
【０００１】
本発明は、移動局に無線通信を提供するためのシステムおよび方法に関するものである。
【背景技術】
【０００２】
列車のような公共交通システムは、これまで競争上の優位性によって支持されてきた。例えば、列車を利用するのと車を運転するのとで比較すると、特にガソリンが比較的高い時、列車を利用することによって交通費を減らすことができる。また、例えば、人々が自分の車を運転する代わりに列車を利用して通勤すれば、環境汚染を減らすこともできる。
【０００３】
公共交通システムに対して種々の通信システムが開発され、公共交通システムを利用している時でも乗客が無線通信サービスを受信できるようになった。例えば、列車は典型的に予め定められたルートの鉄道に沿って移動する。列車の乗客に無線通信を提供するための従来の通信システムは、鉄道に沿って設置された基地局（base station）を有し、各列車に少なくとも１つの無線通信装置（wireless communication device）が設置されていた。この従来のシステムでは、列車が鉄道に沿って移動する時、列車上の無線通信装置は、列車の位置によって定められる基地局の１つと通信することができる。携帯電話やノート型パソコンのように、列車の乗客によって持ち運ばれるユーザー端末（user terminal）は、それから、列車上に設置された無線通信装置と通信することによって、無線通信サービスを受信することができる。
【発明の概要】
【発明が解決しようとする課題】
【０００４】
実際には、列車が最初の基地局のサービスエリアから次の基地局のサービスエリアに移動する時、列車上の無線通信装置は、最初の基地局と次の基地局の間でハンドオフ（handoff）を行う。しかし、ハンドオフの間に、列車に提供される無線通信の機能が低下する。さらに、隣り合う基地局間での信号干渉を減らすために、比較的多くの通信路が使用される。
【課題を解決するための手段】
【０００５】
本発明の第１観点に基づき、複数の輸送手段にそれぞれ設置された少なくとも１つの移動局に無線通信を提供するよう複数の基地局を制御するための方法を提供する。この方法は、複数の基地局の中の第１の基地局が複数の移動局の中の第１の移動局にサービスを提供するために、複数の基地局のうち、第１の基地局と複数の移動局の中の第２の移動局にサービスを提供する第２の基地局との間の基地局の数が予め定められた数よりも小さいかどうかを判定することと、その判定結果に基づいて、複数の移動局の中の第１の移動局と通信するよう複数の基地局の中の第１の基地局を制御することを含む。
【０００６】
本発明の第２観点に基づき、複数の輸送手段にそれぞれ設置された少なくとも１つの移動局に無線通信を提供するよう複数の基地局を制御するための基地局制御装置を提供する。この装置は、複数の基地局の中の第１の基地局が複数の移動局の中の第１の移動局にサービスを提供するために、複数の基地局のうち、第１の基地局と複数の移動局の中の第２の移動局にサービスを提供する第２の基地局との間の基地局の数が予め定められた数よりも小さいかどうかを判定し、その判定結果に基づいて、複数の移動局の中の第１の移動局と通信するよう複数の基地局の中の第1の基地局を制御するように設計されている。
【０００７】
本発明の第３観点に基づき、予め定められたルートに沿って移動するように設計された複数の輸送手段に無線通信を提供するための通信システムを提供する。このシステムは、ルートに沿って設置された複数の基地局と、複数の輸送手段にそれぞれ設置された少なくとも１つの移動局と、基地局制御装置とを含み、この基地局制御装置は、複数の基地局の中の第１の基地局が複数の移動局の中の第１の移動局にサービスを提供するために、複数の基地局のうち、第１の基地局と複数の移動局の中の第２の移動局にサービスを提供する第２の基地局との間の基地局の数が予め定められた数よりも小さいかどうかを判定し、その判定結果に基づいて、複数の移動局の中の第１の移動局と通信するよう複数の基地局の中の第１の基地局を制御するように設計されている。
【０００８】
上記の概要説明および以下に述べる詳細な説明は、例示的に説明しているだけであり、本発明はこれに限定されるものではない。
【図面の簡単な説明】
【０００９】
【図１Ａ】ある例示的実施形態に係る、予め定められたルートに沿って移動するように設計された複数の輸送手段に無線通信を提供するための通信システムを示すブロック図である。
【図１Ｂ】ある例示的実施形態に係る、予め定められたルートに沿って移動するように設計された複数の輸送手段に無線通信を提供するための通信システムを示すブロック図である。
【図２】ある例示的実施形態に係る、基地局制御装置が基地局を制御する手順を示すフローチャートである。
【図３】ある例示的実施形態に係る、基地局制御装置が空間分割多元接続（space division multiple access, SDMA）モードに基づいて、移動局と通信するよう基地局を制御する手順を示すフローチャートである。
【図４】ある例示的実施形態に係る、基地局制御装置が時間分割多重アクセス（time division multiple access, TDMA）方式を用いたミーティングモードに基づいて、移動局と通信するよう基地局を制御する手順を示すフローチャートである。
【図５】ある例示的実施形態に係る、基地局制御装置が周波数分割多重アクセス（frequency division multiple access, FDMA）方式を用いたミーティングモードに基づいて、移動局と通信するよう基地局を制御する手順を示すフローチャートである。
【図６】ある例示的実施形態に係る、ＳＤＭＡモードに基づいて基地局を制御するための基地局制御装置の例示的シーケンス図である。
【図７】ある例示的実施形態に係る、ミーティングモードに基づいて基地局を制御するための基地局制御装置の例示的シーケンス図である。
【発明を実施するための形態】
【００１０】
［第１実施形態］
以下、添付の図面を参照しながら本発明の詳細を説明する。異なる図面の同じ参照番号は、同じであるか類似した要素を識別する。以下の実施形態で説明する実施例は、本発明の全ての実施例を代表するものではなく、本発明の請求項に記載した発明に関するシステムおよび方法の単なる例を表したものに過ぎない。
【００１１】
例示的実施形態において、列車のような予め定められたルートに沿って移動するように設計された複数の輸送手段に無線通信を提供するための通信システムを提供する。この通信システムを輸送手段に使用すると、基地局間の移動局で生じるハンドオフによる無線通信の低下を減らし、周波数利用効率を上げることができる。実施形態は、ハードウェアおよび／またはソフトウェアにおいて実施することができる。
【００１２】
図１Ａおよび１Ｂは、ある例示的実施形態に係る、予め定められたルートに沿って移動するように設計された複数の輸送手段に無線通信を提供するための通信システム１００を示すブロック図である。単なる例証目的であるが、複数の輸送手段は、鉄道１０４に沿って移動するように設計された第１の列車１０２-１および第２の列車１０２-２を含むと仮定する。
【００１３】
図１Ａを参照すると、通信システム１００は、基地局制御センター（base station control center, BSCC）１１３に設置された基地局制御装置（base station control apparatus, BSCA）１１２と、鉄道１０４に沿って設置された複数の基地局（base stations, BSs）１１４-１、１１４-２、…、１１４-Ｎ（Ｎは基地局の合計数）と、列車１０２-１および１０２-２に設置された移動局１１６-１および１１６-２とを含むことができる。
【００１４】
図１Ａおよび１Ｂを参照すると、基地局制御装置１１２、基地局１１４-１、１１４-２、…、１１４-Ｎ、および移動局１１６-１、１１６-２のそれぞれは、以下の構成要素のうち少なくとも１つを含むことができる：様々なプロセスおよび手順を行うため、コンピュータプログラム指令を実行するように設計された少なくとも１つの中央処理装置（central processing unit, CPU）１２２、情報およびコンピュータプログラム指令にアクセスして保存するように設計されたランダムアクセスメモリ（random access memory, RAM）１２４および読み出し専用メモリ（read only memory, ROM）１２６、データおよび情報を保存する記憶装置１２８、タブレット、リストまたはその他のデータ構造を保存するデータベース１３０、入出力装置１３２、インターフェース１３４、アンテナ１３６等。これらの各構成要素は、本技術分野において通常の知識を有する者にとって周知であるため、説明は省略する。
【００１５】
例示的実施形態において、基地局制御装置１１２は、少なくとも１つのコンピュータまたはワークステーションを利用して実施することができる。例えば、基地局制御装置１１２は、インターネット１２０に接続するコンピュータでもよく、このコンピュータは、以下に述べるような手順を行うためのコンピュータプログラム指令を実行することができる。基地局１１４-１、１１４-２、…、１１４-Ｎのそれぞれは、ワイヤレスで、またはケーブルを通して、基地局制御装置１１２と通信することができる。
【００１６】
例示的実施形態において、移動局１１６-１は、基地局１１４-１、１１４-２、…、１１４-Ｎのうち少なくとも１つとワイヤレスで通信し、列車１０２-１の位置によって定められるワイヤレス通信装置であってもよい。同様にして、移動局１１６-２は、基地局１１４-１、１１４-２、…、１１４-Ｎのうち少なくとも１つとワイヤレスで通信し、列車１０２-２の位置によって定められるワイヤレス通信装置であってもよい。移動局１１６-１および１１６-２は、それぞれ列車１０２-１および１０２-２の乗客によって持ち運ばれる携帯電話やノート型パソコン等のユーザー端末にワイヤレスアクセスポイントを提供することができる。
【００１７】
例えば、列車１０２-１が基地局１１４-１、１１４-２、…、１１４-Ｎの中の第ｉの基地局（すなわち、基地局１１４-ｉ）のサービスエリア内にある時、移動局１１６-１は基地局１１４-ｉと通信することができる。また、例えば、列車１０２-２が基地局１１４-１、１１４-２、…、１１４-Ｎの中の第ｊの基地局（すなわち、基地局１１４-ｊ）のサービスエリア内にある時、移動局１１６-２は基地局１１４-ｊと通信することができる。例証の便宜上、移動局１１６-１および１１６-２は、この時、基地局１１４-ｉおよび１１４-ｊのサービスエリア内にあるものと仮定する。
【００１８】
例示的実施形態において、基地局制御装置１１２は、基地局１１４-ｉと１１４-ｊの間の基地局の数に基づいて、移動局１１６-１および１１６-２と通信するよう、それぞれ基地局１１４-ｉおよび１１４-ｊを制御することができる。この数は、移動局１１６-１と１１６-２の間の基地局の数でもある。例えば、基地局制御装置１１２は、列車１０２-１および１０２-２の時刻表等に基づいて、移動局１１６-１と１１６-２の間の基地局の数を判定し、基地局制御装置１１２の信号を制御することができる。
【００１９】
例示的実施形態において、移動局１１６-１と１１６-２の間の基地局の数が予め定められた数より大きい、または等しいと基地局制御装置１１２が判定した場合、基地局制御装置１１２は、空間分割多元接続（space division multiple access, SDMA）モードに基づいて、移動局１１６-１および１１６-２と通信するよう、それぞれ基地局１１４-ｉおよび１１４-ｊを制御することができる。例えば、移動局１１６-１と１１６-２の間に１つ以上の基地局があると基地局制御装置１１２が判定した場合、基地局制御装置１１２は、ＳＤＭＡモードに基づいて、移動局１１６-１および１１６-２と通信するよう、それぞれ基地局１１４-ｉおよび１１４-ｊを制御することができる。
【００２０】
例示的実施形態において、ＳＤＭＡモードの時、基地局制御装置１１２は、ダウンリンク（downlink）周波数で移動局１１６-１にデータを伝送するよう基地局１１４-ｉを制御し、同じダウンリンク周波数で移動局１１６-２にデータを伝送するよう基地局１１４-ｊを制御することができる。同様にして、ＳＤＭＡモードの時、基地局制御装置１１２は、アップリンク（uplink）周波数で移動局１１６-１からデータを受信するよう基地局１１４-ｉを制御し、同じアップリンク周波数で移動局１１６-２からデータを受信するよう基地局１１４-ｊを制御することができる。その結果、周波数利用効果を上げることができる。ＳＤＭＡモードについては、図３および６に基づいて、以下でさらに説明する。
【００２１】
例示的実施形態において、移動局１１６-１と１１６-２の間の基地局の数が予め定められた数より少ないと基地局制御装置１１２が判定した場合、基地局制御装置１１２は、ミーティングモードに基づいて、移動局１１６-１および１１６-２と通信するよう、それぞれ基地局１１４-ｉおよび１１４-ｊを制御することができる。例えば、移動局１１６-１と１１６-２の間にただ１つの基地局があると基地局制御装置１１２が判定した場合、基地局制御装置１１２は、ミーティングモードに基づいて、移動局１１６-１および１１６-２と通信するよう、それぞれ基地局１１４-ｉおよび１１４-ｊを制御することができる。ミーティングモードについては、図４、５および７に基づいて、以下でさらに説明する。
【００２２】
例示的実施形態において、ミーティングモードの時、基地局制御装置１１２は、ダウンリンク周波数で移動局１１６-１にデータを伝送するよう基地局１１４-ｉを制御し、同じダウンリンク周波数で移動局１１６-２にデータを伝送するよう基地局１１４-ｊを制御することができる。その結果、周波数利用効果を上げることができる。代わりに、十分なバンド幅がある時、基地局制御装置１１２は、第１のダウンリンク周波数で移動局１１６-１にデータを伝送するよう基地局１１４-ｉを制御し、第１のダウンリンク周波数と異なる第２のダウンリンク周波数で移動局１１６-２にデータを伝送するよう基地局１１４-ｊを制御することができる。
【００２３】
さらに、ミーティングモードの時、基地局制御装置１１２は、時間分割多重アクセス（time division multiple access, TDMA）方式または周波数分割多重アクセス（frequency division multiple access, FDMA）方式に基づいて、移動局１１６-１および１１６-２からデータを受信するよう、それぞれ基地局１１４-ｉおよび１１４-ｊを制御することができる。これらの方式については、以下で詳しく説明する。
【００２４】
図２は、ある例示的実施形態に係る、基地局制御装置１１２（図１Ａを参照）が移動局１１６-１および１１６-２（図１Ａを参照）と通信するよう基地局１１４-１、１１４-２、…、１１４-Ｎを制御する手順２００を示すフローチャートである。図１Ａおよび２を参照すると、基地局制御装置１１２は、移動局１１６-１と１１６-２の間の基地局の数が予め定められた数Ｋより大きい、または等しいかどうかを判定することができる（２０２）。移動局１１６-１と１１６-２の間の基地局の数が予め定められた数Ｋより大きい、または等しいと基地局制御装置１１２が判定した場合（２０２-Ｙｅｓ）、基地局制御装置１１２は、ＳＤＭＡモードに基づいて、移動局１１６-１および１１６-２と通信するよう、それぞれ基地局１１４-ｉおよび１１４-ｊを制御することができる（２０４）。移動局１１６-１と１１６-２の間の基地局の数が予め定められた数Ｋより少ないと基地局制御装置１１２が判定した場合（２０２-Ｎｏ）、基地局制御装置１１２は、ミーティングモードに基づいて、移動局１１６-１および１１６-２と通信するよう、それぞれ基地局１１４-ｉおよび１１４-ｊを制御することができる（２０６）。列車１０２-１および／または１０２-２の移動によって移動局１１６-１と１１６-２の間の基地局の数が変化するため、判定２０２が繰り返し行われる。
【００２５】
図３は、ある例示的実施形態に係る、基地局制御装置１１２（図１Ａを参照）がＳＤＭＡモードに基づいて移動局１１６-１と通信するよう基地局１１４-ｉを制御する手順３００を示すフローチャートである。この例示的実施形態において、移動局１１６-１は、この時、基地局１１４-ｉのサービスエリア内にあり、基地局１１４-ｉと隣り合う他の基地局１１４-１、１１４-２、…、１１４-Ｎの１つ（すなわち、基地局１１４-ｉ+１）のサービスエリアに移動していると仮定する。この例において、基地局１１４-ｉと１１４-ｉ+１の間にはシステム１００（図１Ａを参照）と連携する基地局が他に設置されていないため、これらは隣り合う。
【００２６】
図１Ａおよび３を参照すると、基地局制御装置１１２は、ＳＤＭＡモードが既に開始されたかどうかを判定することができる（３０２）。基地局１１４-ｉおよび１１４-ｉ+１が移動局１１６-１にサービスを提供するよう動作する場合、ＳＤＭＡモードは既に開始されている。ＳＤＭＡモードはまだ開始されていないと基地局制御装置１１２が判定した場合（３０２-Ｎｏ）、基地局制御装置１１２は、基地局１１４-ｉおよび１１４-ｉ+１による移動局１１６-１へのサービスをオンにすることによって、ＳＭＤＡモードを開始することができる（３０４）。この例示的実施形態において、移動局１１６-１は、この時、基地局１１４-ｉのサービスエリアにあるため、基地局１１４-ｉ+１は、最初のうちは移動局１１６-１から信号を受信しない。しかし、移動局１１６-１が基地局１１４-ｉのサービスエリアから離れ、基地局１１４-ｉ+１のサービスエリア内に移動すると、基地局１１４-ｉ+１は移動局１１６-１から信号を受信することができる。
【００２７】
ＳＤＭＡモードが開始されると（３０２-Ｙｅｓ）、基地局制御装置１１２は、基地局１１４-ｉ+１が実際に移動局１１６-１から信号を受信したかどうかを判定する（３０６）。基地局１１４-ｉ+１は移動局１１６-１から信号を受信していないと基地局制御装置１１２が判定した場合（３０６-Ｎｏ）、基地局１１４-ｉ+１が移動局１１６-１から信号を受信したと基地局制御装置１１２が判定するまで、判定３０６が繰り返し行われる。例えば、移動局１１６-１は、基地局１１４-ｉおよび１１４-ｉ+１の両方によってカバーされたサービスエリアに既に移動している。
【００２８】
基地局１１４-ｉ+１が移動局１１６-１から信号を受信したと基地局制御装置１１２が判定した場合（３０６-Ｙｅｓ）、基地局制御装置１１２は、さらに基地局１１４-ｉ+１から受信した信号を分析し、受信した信号の仕事率および／または誤り率等に基づいて、受信した信号の品質を判定することができる（３０８）。基地局制御装置１１２は、受信した信号の品質が予め定められた条件を満たすかどうかを判定することができる（３１０）。例えば、基地局制御装置１１２は、受信した信号の仕事率が予め定められたしきい値よりも大きいかどうかを判定することができる。その上、またはその代わりに、例えば、基地局制御装置１１２は、受信した信号の誤り率が予め定められたしきい値よりも小さいかどうかを判定することができる。
【００２９】
受信した信号の品質が予め定められた条件を満たしていないと基地局制御装置１１２が判定した場合（３１０-Ｎｏ）、受信した信号の品質が予め定められた条件を満たしていると基地局制御装置１１２が判定するまで（３１０-Ｙｅｓ）、基地局１１４-ｉ+１によって受信した信号の分析が継続して行われる（３０８）。例えば、移動局１１６-１が基地局１１４-ｉのサービスエリアから離れ、基地局１１４-ｉ+１のサービスエリア内に移動すると、基地局１１４-ｉ+１は、移動局１１６-１から比較的強い信号を受信することができる。受信した信号の品質が予め定められた条件を満たしていると基地局制御装置１１２が判定した時（３１０-Ｙｅｓ）、基地局制御装置１１２は、基地局１１４-ｉによる移動局１１６-１へのサービスをオフにし、基地局１１４-ｉ+１と隣り合う基地局１１４-１、１１４-２、…、１１４-Ｎの１つ（すなわち、基地局１１４-ｉ+２）による移動局１１６-１へのサービスをオンにする（３１２）。列車１０２-１が鉄道１０４に沿って移動し続けると、上述したプロセスが繰り返し行われる。
【００３０】
同様に、手順３００を利用して、基地局制御装置１１２（図１Ａを参照）は、ＳＤＭＡモードに基づいて移動局１１６-２と通信するよう基地局１１４-ｊを制御することができる。
【００３１】
図４は、ある例示的実施形態に係る、基地局制御装置１１２（図１Ａを参照）がミーティングモードに基づいて移動局１１６-１と通信するよう基地局１１４-ｉを制御する手順４００を示すフローチャートである。例えば、移動局１１６-１と１１６-２の間の基地局の数が予め定められた数Ｋよりも小さい時、ミーティングモードを開始することができる。
【００３２】
図１Ａおよび４を参照すると、基地局制御装置１１２は、ミーティングモードが開始されたかどうかを判定することができる（４０２）。基地局１１４-ｉが、ＴＤＭＡ方式に基づいて、移動局１１６-１からアップリンクデータを受信する場合、ミーティングモードは既に開始されている。ＴＤＭＡ方式は、移動局にそれぞれ割り当てられた異なるタイムスロット（time slot）で各移動局からデータを受信することによって、複数の移動局間で周波数チャネルを共用するために基地局が使用するチャネル接続方式である。
【００３３】
ミーティングモードが既に開始されていると基地局制御装置１１２が判定した場合（４０２-Ｙｅｓ）、基地局１１４-ｉおよび移動局１１６-１は、それから、互いに通信することができる。例えば、基地局１１４-ｉは、マルチキャスト（multicast）方案に基づいて、移動局１１６-１にデータを伝送することができ、移動局１１６-１は、ＴＤＭＡ方式に基づいて、割り当てられたタイムスロットにある基地局１１４-ｉにデータを伝送することができる（４１２）。また、同時に、基地局１１４-ｉ+１、１１４-ｉ+２、…、１１４-ｉ+Ｋ（Ｋは、前述した予め定められた数）も、移動局１１６-１にサービスを提供するよう動作する。この例示的実施形態において、移動局１１６-１は、この時、基地局１１４-ｉのサービスエリア内にある。そのため、基地局１１４-ｉ+１、１１４-ｉ+２、…、１１４-ｉ+Ｋの少なくとも１つは、最初のうちは移動局１１６-１から信号を受信しない。
【００３４】
ミーティングモードがまだ開始されていないと基地局制御装置１１２が判定した場合（４０２-Ｎｏ）、基地局１１４-ｉは、ＴＤＭＡモードに切り換えるよう移動局１１６-１に通知を送信することができるため、基地局１１４-ｉは、ＴＤＭＡ方式に基づいて、移動局１１６-１からアップリンクデータを受信することができる（４０４）。通知には、移動局１１６-１に対するタイムスロット割り当てに関する情報が含まれる。また、この通知は、ＴＤＭＡモードに切り換わる時に、基地局１１４-ｉへのデータの伝送を一時的に停止するよう移動局１１６-１に請求することもできる。基地局１１４-ｉは、それから、移動局１１６-１から応答（例えば、通知の受領確認）を受信したかどうかを判定することができる（４０６）。移動局１１６-１から確認を受信していないと基地局１１４-ｉが判定した場合（４０６-Ｎｏ）、移動局１１６-１から確認を受信したと基地局１１４-ｉが判定するまで、通知４０４が繰り返し行われる。
【００３５】
移動局１１６-１から確認を受信したと基地局１１４-ｉが判定すると（４０６-Ｙｅｓ）、基地局制御装置１１２は、移動局１１６-１にデータを伝送するよう基地局１１４-ｉ、１１４-ｉ+１、…、１１４-ｉ+Ｋを制御し、割り当てられたタイムスロットに基づいて移動局１１６-１がデータの伝送を開始できることを移動局１１６-１に通知することができる（４０８）。この例示的実施形態において、移動局１１６-１は、この時、基地局１１４-ｉのサービスエリア内にある。そのため、基地局１１４-ｉは、それから、移動局１１６-１が割り当てられたタイムスロットのデータを伝送するかどうかを判定することができる（４１０）。移動局１１６-１が割り当てられたタイムスロットのデータを伝送しないと基地局１１４-ｉが判定した場合（４１０-Ｎｏ）、移動局１１６-１が割り当てられたタイムスロットのデータを伝送すると基地局１１４-ｉが判定するまで（４１０-Ｙｅｓ）、伝送および通知４０８が繰り返し行われる。
【００３６】
移動局１１６-１が割り当てられたタイムスロットのデータを伝送すると基地局１１４-ｉが判定した場合（４１０-Ｙｅｓ）、基地局１１４-ｉおよび移動局１１６-１は、それから、互いに通信することができる。例えば、基地局１１４-ｉは、マルチキャスト方案に基づいて、移動局１１６-１へデータを伝送することができ、移動局１１６-１は、ＴＤＭＡ方式に基づいて、割り当てられたタイムスロットで基地局１１４-ｉにデータを伝送することができる（４１２）。また、同時に、基地局１１４-ｉ+１、１１４-ｉ+２、…、１１４-ｉ+Ｋも、移動局１１６-１にサービスを提供するよう動作する。この例示的実施形態において、移動局１１６-１は、この時、基地局１１４-ｉのサービスエリア内にある。そのため、基地局１１４-ｉ+１、１１４-ｉ+２、…、１１４-ｉ+Ｋの少なくとも１つは、最初のうちは移動局１１６-１から信号を受信しない。
【００３７】
同様に、手順４００を利用して、基地局制御装置１１２（図１Ａを参照）は、ミーティングモードに基づいて移動局１１６-２と通信するよう基地局１１４-ｊを制御することができる。
【００３８】
図５は、ある例示的実施形態に係る、基地局制御装置１１２（図１Ａを参照）がミーティングモードに基づいて移動局１１６-１と通信するよう基地局１１４-ｉを制御する手順５００を示すフローチャートである。図１Ａおよび５を参照すると、基地局制御装置１１２は、ミーティングモードが既に開始されているかどうかを判定することができる（５０２）。基地局１１４-ｉがＦＤＭＡ方式に基づいて移動局１１６-１からアップリンクデータを受信できる場合、ミーティングモードは既に開始されている。ＦＤＭＡ方式は、複数の移動局間で一定の無線周波スペクトル（radio spectrum）を共用するために基地局が用いるチャネル接続方式である。
【００３９】
ミーティングモードが既に開始されていると基地局制御装置１１２が判定した場合（５０２-Ｙｅｓ）、基地局１１４-ｉおよび移動局１１６-１は、それから、ＦＤＭＡ方式に基づいて、互いに通信することができる。例えば、基地局１１４-ｉは、マルチキャスト方案に基づいて、移動局１１６-１にデータを伝送することができ、移動局１１６-１は、ＦＤＭＡ方式に基づいて、割り当てられた周波数で基地局１１４-ｉにデータを伝送することができる（５１２）。また、同時に、基地局１１４-ｉ+１、１１４-ｉ+２、…、１１４-ｉ+Ｋ（Ｋは、上述した予め定められた数）も、移動局１１６-１にサービスを提供するよう動作する。この例示的実施形態において、移動局１１６-１は、この時、基地局１１４-ｉのサービスエリア内にある。そのため、基地局１１４-ｉ+１、１１４-ｉ+２、…、１１４-ｉ+Ｋの少なくとも１つは、最初のうちは移動局１１６-１から信号を受信しない。
【００４０】
ミーティングモードが開始されていないと基地局制御装置１１２が判定した場合（５０２-Ｎｏ）、基地局１１４-ｉは、ＦＤＭＡモードに切り換えるよう移動局１１６-１に通知を送信することができるため、基地局１１４-ｉは、ＦＤＭＡ方式に基づいて、移動局１１６-１からアップリンクデータを受信することができる（５０４）。通知には、移動局１１６-１に対する周波数割り当てに関する情報が含まれる。また、この通知は、基地局１１４-ｉへのデータの伝送を一時的に停止するよう移動局１１６-１に請求することもできる。基地局１１４-ｉは、それから、移動局１１６-１から応答（例えば、通知の受領確認）を受信したかどうかを判定することができる（５０６）。移動局１１６-１から確認を受信していないと基地局１１４-ｉが判定した場合（５０６-Ｎｏ）、移動局１１６-１から確認を受信したと基地局１１４-ｉが判定するまで（５０６-Ｙｅｓ）、通知５０４が繰り返し行われる。
【００４１】
移動局１１６-１から確認を受信したと基地局１１４-ｉが判定すると（５０６-Ｙｅｓ）、基地局制御装置１１２は、移動局１１６-１にデータを伝送するよう基地局１１４-ｉ、１１４-ｉ+１、…、１１４-ｉ+Ｋを制御し、割り当てられた周波数に基づいて移動局１１６-１が基地局１１４-ｉにデータの伝送を開始できることを移動局１１６-１に通知することができる（５０８）。この例示的実施形態において、移動局１１６-１は、この時、基地局１１４-ｉのサービスエリア内にある。そのため、基地局１１４-ｉは、それから、割り当てられた周波数で移動局１１６-１がデータを伝送するかどうかを判定することができる（５１０）。移動局１１６-１は割り当てられた周波数でデータを伝送しないと基地局１１４-ｉが判定した場合（５１０-Ｎｏ）、移動局１１６-１が割り当てられた周波数でデータを伝送すると基地局１１４-ｉが判定するまで（５１０-Ｙｅｓ）、伝送および通知５０８が繰り返し行われる。
【００４２】
移動局１１６-１が割り当てられた周波数でデータを伝送すると基地局１１４-ｉが判定すると（５１０-Ｙｅｓ）、基地局１１４-ｉおよび移動局１１６-１は、それから、互いに通信することができる。例えば、基地局１１４-ｉは、マルチキャスト方案に基づいて、移動局１１６-１にデータを伝送することができ、移動局１１６-１は、ＦＤＭＡ方式に基づいて、割り当てられた周波数で基地局１１４-ｉにデータを伝送することができる（５１２）。また、同時に、基地局１１４-ｉ+１、１１４-ｉ+２、…、１１４-ｉ+Ｋも、移動局１１６-１にサービスを提供するよう動作する。この例示的実施形態において、移動局１１６-１は、この時、基地局１１４-ｉのサービスエリア内にある。そのため、基地局１１４-ｉ+１、１１４-ｉ+２、…、１１４-ｉ+Ｋの少なくとも１つは、最初のうちは移動局１１６-１から信号を受信しない。
【００４３】
同様に、手順５００を利用して、基地局制御装置１１２（図１Ａを参照）は、ミーティングモードに基づいて移動局１１６-２と通信するよう基地局１１４-ｊを制御することができる。
【００４４】
図６は、ある例示的実施形態に係る、ＳＤＭＡモードに基づいて上述した基地局１１４-ｉ、１１４-ｉ+１および１１４-ｉ+２を制御するための基地局制御装置１１２（図１Ａを参照）の例示的シーケンス図である。例証の便宜上、移動局１１６-１および１１６-２（図１Ａを参照）は、この時、それぞれ基地局１１４-ｉおよび１１４-ｊのサービスエリア内にあると仮定する。
【００４５】
図１Ａおよび６を参照すると、基地局制御装置１１２は、アップリンク指定報告請求（uplink specified report request）６０２をマルチキャストして、基地局１１４-１、１１４-２、…、１１４-Ｎのそれぞれに請求し、それによって、識別情報およびサービスエリア内にある全移動局のアップリンク状態を報告するよう、基地局１１４-ｉ、１１４-ｉ+１および１１４-ｉ+２に請求する。移動局のアップリンク状態には、移動局から受信した信号の品質に関わる情報が含まれる。
【００４６】
したがって、基地局１１４-ｉ、１１４-ｉ+１および１１４-ｉ+２は、アップリンク指定報告応答（uplink specified report response）６０４、６０６および６０８をそれぞれ基地局制御装置１１２に送信することができる。例えば、基地局１１４-ｉによって送信されるアップリンク指定報告応答６０４には、識別情報および移動局１１６-１のアップリンク状態が含まれる。また、例えば、基地局１１４-ｉ+１によって送信されるアップリンク指定報告応答６０６、および基地局１１４-ｉ+２によって送信されるアップリンク指定報告応答６０８は、この時、それぞれのサービスエリア内に移動局がないことを指示することができる。また、基地局１１４-ｊは、識別情報および移動局１１６-２のアップリンク状態に関する情報を含むアップリンク指定報告応答（図示せず）を基地局制御装置１１２に送信することができる。
【００４７】
基地局制御装置１１２は、列車１０２-１および１０２-２の時刻表等に基づいて、移動局１１６-１および１１６-２のそれぞれの位置を判定することができる（６１０）。基地局制御装置１１２は、さらに、受信したアップリンク指定報告応答に基づいて、移動局１１６-１および１１６-２のそれぞれの位置に関するデータを微調整することができる。移動局１１６-２は移動局１１６-１から遠く離れている、つまり、移動局１１６-１と１１６-２の間の基地局の数が予め定められた数Ｋよりも大きいと基地局制御装置１１２が判定した場合（図２-２０２）、基地局制御装置１１２は、移動局１１６-１に対してＳＤＭＡモードを開始することができる（６１２）。
【００４８】
１つの例示的実施形態において、基地局制御装置１１２は、基地局１１４-ｉから受信したアップリンク指定報告応答６０４に基づいて、移動局１１６-１が基地局１１４-ｉのサービスエリア内にあると判定する。したがって、基地局制御装置１１２は、基地局１１４-ｉにアップリンク専用割当請求（uplink dedicated assignment request）６１４を送信して、移動局１１６-１に対するサービス基地局となるよう基地局１１４-ｉに請求することができる。例えば、基地局制御装置１１２は、移動局１１６-１に対するサービス基地局となるよう基地局１１４-ｉに請求して、移動局１１６-１から受信されたデータを基地局制御装置１１２に転送することができる。アップリンク専用割当請求６１４の受信によって、基地局１１４-ｉは、基地局制御装置１１２にアップリンク専用割当応答（uplink dedicated assignment response）６１６を送信して、アップリンク専用割当請求６１４を満たせることを指示することができる。また、基地局１１４-ｉは、移動局１１６-１にアップリンク専用割当メッセージ（uplink dedicated assignment message）６１８を送信して、基地局１１４-ｉが移動局１１６-１に対してアップリンクデータ伝送を実行できることを移動局１１６-１に通知することもできる。
【００４９】
また、基地局制御装置１１２は、基地局１１４-ｉ+１にアップリンク候補割当請求（uplink candidate assignment request）６２０を送信して、移動局１１６-１へのダウンリンクデータ伝送を実行し、移動局１１６-１のアップリンク状態を周期的に報告するよう基地局１１４-ｉ+１に請求することができる。アップリンク候補割当請求６２０の受信によって、基地局１１４-ｉ+１は、基地局制御装置１１２にアップリンク候補割当応答（uplink candidate assignment response）６２２を送信して、アップリンク候補割当請求６２０を満たせることを指示することができる。そのため、基地局１１４-ｉ+１は、移動局１１６-１の候補サービス基地局となる（６２３）。さらに、基地局１１４-ｉ+１は、基地局制御装置１１２にアップリンク主動報告（uplink proactive report）６２４を周期的に送信し始める。このアップリンク主動報告６２４には、移動局１１６-１および基地局１１４-ｉ+１のアップリンク状態に関する情報が含まれる。
【００５０】
この例示的実施形態において、移動局１１６-１は、この時、基地局１１４-ｉのサービスエリア内にあるが、基地局１１４-ｉ+１のサービスエリア内にはない。したがって、基地局１１４-ｉは移動局１１６-１からデータを受信して、受信したデータを基地局制御装置１１２に転送する（６２６）。
【００５１】
次に、基地局１１４-ｉ+１は、基地局制御装置１１２にアップリンク主動報告６２８を送信して、基地局１１４-ｉ+１に対する移動局１１６-１の現在のアップリンク状態を報告する。さらに、基地局制御装置１１２は、基地局１１４-ｉにアップリンク指定報告請求６３０を送信する。そのため、基地局１１４-ｉが基地局制御装置１１２にアップリンク指定報告応答６３２を送信して、基地局１１４-ｉに対する移動局１１６-１の現在のアップリンク状態を報告し、基地局１１４-ｉから受信したアップリンク指定報告請求６３０に応じる。
【００５２】
この例示的実施形態において、移動局１１６-１は、この時、基地局１１４-ｉおよび１１４-ｉ+１の両方にカバーされたサービスエリア内に移動する。基地局１１４-ｉは、依然として移動局１１６-１のサービス基地局であり、そのため、移動局１１６-１からアップリンクデータを受信して、受信したアップリンクデータを基地局制御装置１１２に転送することができる。しかしながら、基地局１１４-ｉ+１も、この時、移動局１１６-１からアップリンクデータを受信することができる（６３４）。
【００５３】
そのため、基地局１１４-ｉ+１は、基地局制御装置１１２にアップリンク主動報告６３６を送信して、基地局１１４-ｉ+１に対する移動局１１６-１の現在のアップリンク状態を報告する。さらに、基地局制御装置１１２は、基地局１１４-ｉにアップリンク指定報告請求６３８を送信する。したがって、基地局１１４-ｉは、基地局制御装置１１２にアップリンク指定報告応答６４０を送信して、基地局１１４-ｉに対する移動局１１６-１の現在のアップリンク状態を報告する。
【００５４】
移動局１１６-１が基地局１１４-ｉ+１に向かってより近くに移動する時、基地局１１４-ｉ+１から受信したアップリンク主動報告に基づいて、基地局１１４-ｉ+１によって移動局１１６-１から受信した信号の品質が予め定められた条件を満たしていると基地局制御装置１１２が判定するまで、上記のプロセスが繰り返し行われる（６４２）。例えば、基地局制御装置１１２は、基地局１１４-ｉ+１によって移動局１１６-１から受信した信号の仕事率がしきい値よりも大きいと判定することができる。また、例えば、基地局制御装置１１２は、基地局１１４-ｉ+１によって移動局１１６-１から受信した信号の誤り率がしきい値よりも小さいと判定することができる。
【００５５】
したがって、基地局制御装置１１２は、それから、基地局１１４-ｉ+１にアップリンク専用割当請求６４４を送信して、移動局１１６-１に対するサービス基地局となるよう基地局１１４-ｉ+１に請求することができる。例えば、基地局制御装置１１２は、移動局１１６-１から受信したデータを基地局制御装置１１２に転送するよう基地局１１４-ｉ+１に請求することができる。アップリンク専用割当請求６４４の受信によって、基地局１１４-ｉ+１は、基地局制御装置１１２にアップリンク専用割当応答６４６を送信して、アップリンク専用割当請求６４４を満たせることを指示することができる。また、基地局１１４-ｉ+１は、移動局１１６-１にアップリンク専用割当メッセージ６４８を送信して、基地局１１４-ｉ+１が移動局１１６-１に対してアップリンクデータ伝送を実行できることを移動局１１６-１に通知することもできる。
【００５６】
さらに、基地局制御装置１１２は、基地局１１４-ｉにアップリンク専用取消請求（uplink dedicated cancelation request）６５０を送信して、移動局１１６-１へのサービスを停止するよう基地局１１４-ｉに請求する。基地局１１４-ｉは、基地局制御装置１１２にアップリンク専用取消応答（uplink dedicated cancelation response）６５２を送信して、アップリンク専用取消請求６５０を満たせることを指示する。基地局１１４-ｉ+１は、この時、移動局１１６-１に対するサービス基地局になる（６５４）。
【００５７】
さらに、基地局制御装置１１２は、基地局１１４-ｉ+２にアップリンク候補割当請求６５６を送信して、移動局１１６-１へのダウンリンクデータ伝送を実行し、移動局１１６-１のアップリンク状態を周期的に報告するよう基地局１１４-ｉ+２に請求する。アップリンク候補割当請求６５６の受信によって、基地局１１４-ｉ+２は、基地局制御装置１１２にアップリンク候補割当応答６５８を送信して、アップリンク候補割当請求６５６を満たせることを指示する。そのため、基地局１１４-ｉ+２は、移動局１１６-１に対する候補サービス基地局となる（６６０）。
【００５８】
列車１０２-1が鉄道１０４に沿って移動する時、上記のプロセスが繰り返し行われる。その結果、移動局１１６-１に対して異なる基地局間のハンドオフによる無線通信の低下を減らすことができる。
【００５９】
図７は、ある例示的実施形態に係る、ミーティングモードに基づいて上述した基地局１１４-ｉ、１１４-ｉ+１、…、１１４-ｉ+Ｋを制御するための基地局制御装置１１２（図１Ａを参照）の例示的シーケンス図７００である。例証の便宜上、移動局１１６-１（図１Ａを参照）は、この時、基地局１１４-ｉのサービスエリア内にあって、基地局１１４-ｉ+１のサービスエリアに移動しており、移動局１１６-２（図１Ａを参照）は、この時、基地局１１４-ｉ+Ｋのサービスエリア内にある局で停止していると仮定する。
【００６０】
図１Ａおよび７を参照すると、基地局１１４-ｉおよび１１４-ｉ+Ｋは、それぞれ移動局１１６-１および１１６-２からアップリンクデータを同時に受信し、それぞれの受信したデータを基地局制御装置１１２に転送する（７０２）。つまり、基地局１１４-ｉおよび１１４-ｉ+Ｋは、それぞれ移動局１１６-１および１１６-２にサービスを提供している。さらに、基地局１１４-ｉ+１は、上述したＳＤＭＡモードのプロセスと同じように、移動局１１６-１が基地局１１４-ｉ+１に向かって移動する時、移動局１１６-１から信号を受信するよう動作する。
【００６１】
例示的実施形態において、基地局制御装置１１２は、列車１０２-１および１０２-２の時刻表等に基づいて、移動局１１６-１および１１６-２のそれぞれの位置を判定することができる（７０４）。基地局制御装置１１２は、さらに、基地局１１４-ｉおよび１１４-ｉ+Ｋのそれぞれから受信したアップリンク指定報告応答等に基づいて、移動局１１６-１および１１６-２のそれぞれの位置に関するデータを微調整することができる。移動局１１６-１と１１６-２の間の基地局の数が予め定められた数Ｋよりも小さいと基地局制御装置１１２が判定した場合（図２-２０２）、基地局制御装置１１２は、基地局１１４-ｉおよび１１４-ｉ+Ｋに対してミーティングモードを開始することができる（７０６）。この例示的実施形態において、基地局制御装置１１２は、移動局１１６-１と１１６-２の間にＫ-１個の基地局があると判定するため、それによって、基地局制御装置１１２は、ミーティングモードを開始すると判定する。
【００６２】
１つの例示的実施形態において、基地局制御装置１１２は、基地局１１４-ｉ、１１４+ｉ+１、…、１１４-ｉ+Ｋのそれぞれにアップリンク分割割当請求（uplink separated assignment request）７０８をマルチキャストして、複数の移動局にダウンリンクデータを伝送し、複数の移動局からアップリンクデータを受信する準備を行い、この時サービスエリア内にある移動局からアップリンクデータを受信および転送するよう基地局１１４-ｉ、１１４+ｉ+１、…、１１４-ｉ+Ｋのそれぞれに請求する。
【００６３】
アップリンク分割割当請求７０８の受信によって、基地局１１４-ｉは、移動局１１６-１にアップリンク分割割当請求７１０を送信して、アップリンクデータの伝送を一時的に停止し、ＴＤＭＡモードに切り換えるよう移動局１１６-１に請求する。移動局１１６-１は、基地局１１４-ｉにアップリンク分割割当応答（uplink separated assignment response）７１２を送信して、アップリンク分割割当請求７１０を満たし、基地局１１４-ｉへのアップリンクデータの伝送を一時的に停止できることを指示する（７１４）。
【００６４】
基地局１１４-ｉは、それから、基地局制御装置１１２にアップリンク分割割当応答７１６を送信して、移動局１１６-１がアップリンクデータの伝送を一時的に停止し、ＴＤＭＡモードに切り換えられることを指示することができる。さらに、基地局１１４-ｉ+１は、基地局制御装置１１２にアップリンク分割割当応答７１８を送信することができる。
【００６５】
同様に、アップリンク分割割当請求７０８の受信によって、基地局１１４-ｉ+Ｋは、移動局１１６-２にアップリンク分割割当請求７２０を送信して、アップリンクデータの伝送を一時的に停止し、ＴＤＭＡモードに切り換えるよう移動局１１６-２に請求する。移動局１１６-２は、基地局１１４-ｉ+Ｋにアップリンク分割割当応答７２２を送信して、アップリンク分割割当請求７２０を満たし、基地局１１４-ｉ+Ｋへのアップリンクデータの伝送を一時的に停止できることを指示する（７２４）。
【００６６】
基地局１１４-ｉ+Ｋは、それから、基地局制御装置１１２にアップリンク分割割当応答７２６を送信して、移動局１１６-２がアップリンクデータの伝送を一時的に停止し、ＴＤＭＡモードに切り換えられることを指示することができる。
【００６７】
１つの例示的実施形態において、基地局制御装置１１２は、さらに、基地局１１４-ｉ、１１４+ｉ+１および１１４-ｉ+Ｋのそれぞれにアップリンク分割割当確認（uplink separated assignment acknowledgment）７２８をマルチキャストして、基地局１１４-ｉ、１１４+ｉ+１および１１４-ｉ+Ｋのそれぞれが、この時サービスエリア内にある移動局から受信したアップリンクデータを基地局制御装置１１２に伝送開始できることを確認する。基地局１１４-ｉは、それから、移動局１１６-１にアップリンク分割割当確認７３０を送信して、ＴＤＭＡモードに基づいてアップリンクデータを伝送開始できることを移動局１１６-１に通知することができる。基地局１１４-ｉ+Ｋは、移動局１１６-２にアップリンク分割割当確認７３２を送信して、ＴＤＭＡモードに基づいてアップリンクデータを伝送開始できることを移動局１１６-２に通知することができる。
【００６８】
結果として、基地局１１４-ｉは、ＴＤＭＡモードに基づいて、移動局１１６-１からアップリンクデータを受信し、受信したデータを基地局制御装置１１２に転送することができる（７３４）。基地局１１４-ｉ+１も、ＴＤＭＡモードに基づいて、移動局１１６-１からアップリンクデータを受信することができる。同様にして、基地局１１４-ｉ+Ｋは、ＴＤＭＡモードに基づいて、移動局１１６-２からアップリンクデータを受信し、受信したデータを基地局制御装置１１２に転送することができる（７３６）。
【００６９】
移動局１１６-１が、基地局１１４-ｉのサービスエリアから基地局１１４-ｉ+１のサービスエリアに移動する時、基地局１１４-ｉ+１は、上述したＳＤＭＡモードのプロセスと同様に、移動局１１６-１に対するサービス基地局になることができる（７３８）。そのため、基地局１１４-ｉ+１は、ＴＤＭＡ方式に基づいて、移動局１１６-１からアップリンクデータを受信し、受信したデータを基地局制御装置１１２に転送することができ（７４０）、基地局１１４-ｉ+Ｋは、ＴＤＭＡ方式に基づいて、移動局１１６-２からアップリンクデータを受信し、受信したデータを基地局制御装置１１２に転送することができる（７４２）。
【００７０】
移動局１１６-１が基地局１１４-ｉ+Ｋのサービスエリアにさらに移動する時、基地局１１４-ｉ+Ｋは、移動局１１６-１および１１６-２の両方に対するサービス基地局になる。そのため、基地局１１４-ｉ+Ｋは、ＴＤＭＡ方式に基づいて、移動局１１６-１および１１６-２の両方からアップリンクデータを受信し、受信したデータを基地局制御装置１１２に転送することができる。
【００７１】
実施形態は２つの移動局に基づいて説明したが、本発明はこれに限定されるものではなく、より多数の移動局で実施した場合でも、同等の効果を得ることができる。
【００７２】
実施形態は列車に基づいて説明したが、本発明はこれに限定されるものではなく、他の種類の輸送手段で実施した場合でも、同等の効果を得ることができる。
【００７３】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００７４】
１００  通信システム
１０２-１、１０２-２  列車
１０４  鉄道
１１２  基地局制御装置
１１３  基地局制御センター
１１４-１〜１１４-Ｎ  基地局
１１６-１、１１６-２  移動局
１２０  インターネット
１２２  中央処理装置
１２４  ランダムアクセスメモリ
１２６  読み出し専用メモリ
１２８  記憶装置
１３０  データベース
１３２  入出力装置
１３４  インターフェース
１３６  アンテナ
２００  基地局制御装置が基地局を制御する手順のフローチャート
２０２、２０４、２０６  基地局制御装置が基地局を制御する手順
３００  基地局制御装置がＳＤＭＡモードに基づいて移動局と通信するよう基地局を制御する手順のフローチャート
３０２、３０４、３０６、３０８、３１０、３１２  基地局制御装置がＳＤＭＡモードに基づいて移動局と通信するよう基地局を制御する手順
４００  基地局制御装置がミーティングモードに基づいて移動局と通信するよう基地局を制御する手順のフローチャート
４０２、４０４、４０６、４０８、４１０、４１２基地局制御装置がミーティングモードに基づいて移動局と通信するよう基地局を制御する手順
５００  基地局制御装置がミーティングモードに基づいて移動局と通信するよう基地局を制御する手順のフローチャート
５０２、５０４、５０６、５０８、５１０、５１２基地局制御装置がミーティングモードに基づいて移動局と通信するよう基地局を制御する手順
６００  基地局制御装置がＳＤＭＡモードに基づいて基地局を制御するシーケンス図
６０２、６３０、６３８、アップリンク指定報告請求
６０４、６０６、６０８、６３２、６４０  アップリンク指定報告応答
６１０、６１２、６２３、６２６、６３４、６４２、６５４、６６０  基地局制御装置がＳＤＭＡモードに基づいて基地局を制御する手順
６１４、６４４  アップリンク専用割当請求
６１６、６４６  アップリンク専用割当応答
６１８、６４８  アップリンク専用割当メッセージ
６２０、６５６  アップリンク候補割当請求
６２２、６５８  アップリンク候補割当応答
６２４、６２８、６３６  アップリンク主動報告
６５０  アップリンク専用取消請求
６５２  アップリンク専用取消応答
７００  基地局制御装置がミーティングモードに基づいて基地局を制御するシーケンス図
７０２、７０４、７０６、７１４、７２４、７３４、７３６、７３８、７４０、７４２  基地局制御装置がミーティングモードに基づいて基地局を制御する手順
７０８、７１０、７２０  アップリンク分割割当請求
７１２、７１６、７１８、７２２、７２６  アップリンク分割割当応答
７２８、７３０、７３２  アップリンク分割割当確認
【図１Ａ】
2010246080.tif 000003
【図１Ｂ】
2010246080.tif 000004
【図２】
2010246080.tif 000005
【図３】
2010246080.tif 000006
【図４】
2010246080.tif 000007
【図５】
2010246080.tif 000008
【図６】
2010246080.tif 000009
【図７】
2010246080.tif 000010
【外国語明細書】
2010246080.tif 000011
2010246080.tif 000012
2010246080.tif 000013
2010246080.tif 000014
2010246080.tif 000015
2010246080.tif 000016
2010246080.tif 000017
2010246080.tif 000018
2010246080.tif 000019
2010246080.tif 000020
2010246080.tif 000021
2010246080.tif 000022
2010246080.tif 000023
2010246080.tif 000024
2010246080.tif 000025
2010246080.tif 000026
2010246080.tif 000027
2010246080.tif 000028
2010246080.tif 000029
2010246080.tif 000030
2010246080.tif 000031
2010246080.tif 000032
2010246080.tif 000033
2010246080.tif 000034
2010246080.tif 000035
2010246080.tif 000036
2010246080.tif 000037
2010246080.tif 000038
2010246080.tif 000039
2010246080.tif 000040
2010246080.tif 000041
2010246080.tif 000042
2010246080.tif 000043
2010246080.tif 000044
2010246080.tif 000045
2010246080.tif 000046
2010246080.tif 000047
2010246080.tif 000048
2010246080.tif 000049
2010246080.tif 000050
2010246080.tif 000051
2010246080.tif 000052
2010246080.tif 000053
2010246080.tif 000054
2010246080.tif 000055
2010246080.tif 000056
2010246080.tif 000057
2010246080.tif 000058
2010246080.tif 000059